(57)【要約】【課題】  ディスクトレイのオープン工程及びクローズ工程のそれぞれの開始タイミング及び終了タイミング、クランプ機構のクランプ工程の終了タイミング及びクランプ解除工程の開始タイミングを１つのスイッチで検出させる。ディスクトレイなどを動作させるためのシーケンスに必要な検出信号を１つのスイッチによって得る。【解決手段】  ディスクトレイ２０と、クランプ機構３０と、クランプ機構３０を動作させるためのカム機構４０と、スイッチ６０とを有する。カムスライダ４１に第１スイッチ操作部７０を設け、ディスクトレイ２０に第２スイッチ操作部８０を設ける。第１スイッチ操作部７０と第２スイッチ操作部８０とを、スイッチ６０の片側に配備する。【選択図】        図１Ａ
2009146554.tif 000002
【特許請求の範囲】
【請求項１】
機体から後退してディスクを搬出するオープン工程と機体に進入してディスクを機体に搬入するクローズ工程とを行うディスクトレイと、
このディスクトレイのクローズ工程を通じて上記機体に搬入されたディスクをディスクトレイから持ち上げて回転可能に保持するクランプ工程とディスクの保持状態を解除してディスクを上記ディスクトレイに受け渡すクランプ解除工程とを行うクランプ機構と、
このクランプ機構によるクランプ工程とクランプ解除工程とを切換え制御するカム機構と、
上記ディスクトレイのオープン工程及びクローズ工程のそれぞれの開始タイミング及び終了タイミング、並びに、上記クランプ機構のクランプ工程の終了タイミング及びクランプ解除工程の開始タイミングを検出するスイッチと、を有し、
上記カム機構が、ディスクトレイの出退方向に対して直交する方向に往復移動されるカムスライダと、このカムスライダのカム溝に案内されて上記ディスクトレイの出退方向及び当該カムスライダの往復移動方向に対して直交する往復方向に案内される可動体とを備えて、この可動体が上記クランプ機構に設けられてこの可動体の往動を通じてクランプ機構が上記クランプ工程を行い、かつ、この可動体の復動を通じてクランプ機構が上記クランプ解除工程を行うように構成されていると共に、上記スイッチが、単一のタクトの押込み復帰動作によりオンオフ状態が切り換わるタクトスイッチでなるディスク装置において、
上記カムスライダに、上記可動体を復動させて上記クランプ機構にクランプ解除工程を開始させたときに上記タクトから離れて上記スイッチをオフさせ、上記可動体が往動して上記クランプ機構のクランプ工程を終了させたときに上記タクトを押し込んで上記スイッチをオンさせる第１スイッチ操作部が設けられ、
上記ディスクトレイに、当該ディスクトレイがオープン工程及びクローズ工程を進行させている時間に限って上記スイッチのオン状態を持続させ、当該ディスクトレイがオープン工程及びクローズ工程を保持している時間は上記スイッチのオフ状態を持続させる第２スイッチ操作部が設けられていることを特徴とするディスク装置。
【請求項２】
上記第１スイッチ操作部が、上記カムスライダに設けられて上記スイッチのタクトに対向している突当り部でなり、上記第２スイッチ操作部が、上記ディスクトレイに設けられてそのディスクトレイの出退方向に延びるリブでなり、そのリブの側面が上記スイッチのタクトを押し込んだまま摺動する押圧面として形成されている請求項１に記載したディスク装置。
【請求項３】
上記第１スイッチ操作部と上記第２スイッチ操作部とが、上記カムスライダの往復移動方向において上記スイッチの片側に配備されている請求項２に記載したディスク装置。
【請求項４】
上記第１スイッチ操作部と上記第２スイッチ操作部とが、上記可動体の往復方向で間隔を隔てて配備され、かつ、上記機体に、ばね圧により常時中立位置に向けて付勢されたレバーの一端部が揺動自在に取り付けられ、そのレバーの自由端部に、上記中立位置で上記スイッチのタクトから離れている２つの突出部が設けられていると共に、上記第１スイッチ操作部が一方側の上記突出部に当接して上記レバーの揺動動作を伴いながら上記スイッチのタクトに対する押込み離間動作を行い、上記第２スイッチ操作部が他方側の上記突出部に当接して上記レバーの揺動動作を伴いながら上記スイッチのタクトに対する押込み離間動作を行うように構成されている請求項３に記載したディスク装置。
【発明の詳細な説明】
【技術分野】
【０００１】
本発明は、ディスク装置、詳しくは、ディスクトレイについてのオープン工程及びクローズ工程のそれぞれの開始タイミングや終了タイミング、クランプ機構についてのクランプ工程の終了タイミングやクランプ解除工程の開始タイミングをスイッチにより検出し、その検出信号に基づいてローディングモータに対する印加電圧を制御するように構成されているディスク装置に関する。
【背景技術】
【０００２】
図５はＤＶＤドライブなどに採用されているディスク装置の概略平面図、図６は同ディスク装置の他の状態での概略平面図である。
【０００３】
図５及び図６に示したディスク装置は、固定側シャーシとしての機体１０と、この機体１０に出退可能に取り付けられたディスクトレイ２０と、ディスクトレイ２０によって機体に搬入されたディスク（不図示、以下同じ）をそのディスクトレイ２０から受け取ったり受け渡したりする動作を行うクランプ機構３０と、このクランプ機構３０の動作を制御するためのカム機構４０とを備えている。
【０００４】
上記クランプ機構３０は、メカシャーシと呼ばれる可動枠体３１と、その可動枠体３１に取り付けられたターンテーブル３２と、このターンテーブル３２との対向位置で上記機体１０に装備されているクランパ（不図示）とを備えている。そして、可動枠体３１は、その一端部が機体１０に揺動可能に取り付けられていて、図５及び図６に一点鎖線ａで示した揺動支点を中心にしてその他端部が往復移動するようになっている。
【０００５】
カム機構４０は、カムスライダ４１と、カムスライダ４１のカム溝（不図示、以下同じ）に案内されて往復方向に案内されるピン状の可動体４２とを備えていて、可動体４２が上記クランプ機構３０の可動枠体３１の他端部に設けられている。
【０００６】
ディスクトレイ２０の出退方向と、クランプ機構３０の可動枠体３１の往復移動方向と、カム機構４０の可動体４２の往復方向との３者の関係は次の通りである。すなわち、ディスクトレイ２０の出退方向を前後方向（Ｙ軸方向）として規定すると、カム機構４０のカムスライダ４１の往復移動方向は左右方向（Ｘ軸方向）、カム機構４０の可動体４２及びその可動体４２を備えている可動枠体３１の往復方向は、ディスクトレイ２０の出退方向である前後方向及びカムスライダ４１の往復移動方向である左右方向に対して直交する上下方向（Ｚ軸方向）として規定することができる。したがって、以下では、理解を容易にするために、カムスライダ４１は左右方向に往復移動可能であり、可動体４２や可動枠体３１は上下方向に往復可能である、として説明する。
【０００７】
ディスクトレイ２０は、図６に矢印Ｏで示したように機体１０から後退してディスクを機体１０から搬出するオープン工程と、図５に矢印Ｃで示したように機体１０に進入してディスクを機体１０に搬入するクローズ工程とを行う。
【０００８】
クランプ機構３０は、ディスクトレイ２０のクローズ工程を通じて機体１０に搬入されたディスクをディスクトレイ２０から持ち上げて回転可能に保持するクランプ工程と、ディスクの保持状態を解除してディスクをディスクトレイ２０に受け渡すクランプ解除工程とを行う。そして、クランプ工程では、可動枠体３１の他端部が上動することにより、ターンテーブル３２がディスクトレイ２０の下側からその上側まで上動してディスクトレイ２０の上のディスクを受け取って持ち上げ、上記したクランパと共働してそのディスクを回転可能に保持する。これに対し、クランプ解除工程では、可動枠体３１の他端部が下動し、ターンテーブル３２が上記クランパから離れてディスク保持状態を解除した後、ディスクトレイ２０の上側から下側まで下動してディスクをディスクトレイ２０に受け渡す。
【０００９】
カム機構４０は、クランプ機構３０によるクランプ工程とクランプ解除工程とを切換え制御することに役立つ。すなわち、図５のようにディスクトレイ２０がクローズ位置に位置しているときに、矢印Ｒのようにカムスライダ４１が右方へ往動すると、カムスライダ４１のカム溝（不図示）により可動体４２が案内されて上動すなわち往動し、その可動体４２と共にクランプ機構３０の可動枠体３１も上方へ往動して上記したクランプ工程が行われる。なお、図５はクランプ工程が終了している状態を示している。これに対し、図５のようにディスクトレイ２０がクローズ位置に位置しているときに、矢印Ｌのようにカムスライダ４１が左方へ復動すると、カムスライダ４１のカム溝（不図示）により可動体４２が案内されて下動すなわち復動し、その可動体４２と共にクランプ機構３０の可動枠体３１も下方へ復動して上記したクランプ解除工程が行われる。
【００１０】
ディスクトレイ２０の前後方向への出退動作は、機体１０に取り付けられている１つの歯車５０（後述するローディングモータによって回転駆動される）の正逆回転を通じて行われる。そのための構成として、ディスクトレイ２０に上記歯車５０に噛合い可能なラック２１が設けられている。ディスクトレイ２０の出退動作には、上記したオープン工程やクローズ工程に加えて、オープン工程の開始前のオープン補助工程が行われる。このオープン補助工程を行わせるために、ディスクトレイ２０に設けられた傾斜したガイド溝２３とカムスライダ４１に設けられて上記ガイド溝２４によって案内される係合ピン２３とによって構成されている誘導機構２２が設けられている。また、カムスライダ４１の左右方向への往復移動は、上記した１つの歯車５０の正逆回転を通じて行われる。そのための構成として、カムスライダ４１に歯車５０に噛合い可能なラック４２が設けられている。
【００１１】
なお、図５及び図６に示したように、可動枠体３１にはガイドシャフト３３，３４によって前後方向Ａに案内走行される光ピックアップ３５が装備されていて、この光ピックアップ３５の走行駆動力が、可動枠体３１に取り付けられた歯車３６から光ピックアップ３５側のラック３７に伝達されるようになっている。
【００１２】
図５及び図６を参照して説明した構成を備えるディスク装置では、ディスクトレイ２０についてのオープン工程及びクローズ工程のそれぞれの開始タイミングや終了タイミング、クランプ機構３０についてのクランプ工程の終了タイミングやクランプ解除工程の開始タイミングを２つのスイッチにより検出し、その検出信号に基づいてローディングモータに対する印加電圧をシーケンス制御するように構成されている。以下、この点について図７Ａ〜図７Ｅ、図８及び図９を参照して具体的に説明する。
【００１３】
図７Ａ〜図７Ｅはカムスライダ４１やディスクトレイ２０の動作を介してオンオフ制御される２つのスイッチ６１，６２のモードを示した説明図、図８はディスクトレイ２０を裏面側から見て示した平面図である。また、図９はタイムチャートであって、（Ａ）がローディングモータに対する印加電圧、（Ｂ）が２つのスイッチ６１，６２のモード、（Ｃ）がディスクトレイ２０の動作、（Ｄ）がクランプ機構３０の動作をそれぞれ示している。
【００１４】
図７Ａ〜図７Ｅに示したように、２つのスイッチ６１，６２にはタクトスイッチが採用されていて、それぞれのスイッチ６１，６２では、単一のタクトの押込み復帰動作によりそのオンオフ状態が切り換わる。そして、２つのスイッチ６１，６２を挟んでそれらの片側にカムスライダ４１が配備され、それらの他側にディスクトレイ２０側のリブ２６が配備されていて、一方側のスイッチ６１がカムスライダ４１に設けられている突起４５によってオンオフ制御され、他方側のスイッチ６２がディスクトレイ２０側のリブ２６によってオンオフ制御されるようになっている。
【００１５】
図９の時間Ｔ１のように、ディスクトレイ２０がクローズ位置に位置し、クランプ機構３０がディスクをクランプしている動作状態では、図７Ａのように往動しているカムスライダ４１の突起４５が一方側のスイッチ６１のタクトを押し込んでそのスイッチ６１をオンモードに切り換えているのに対し、ディスクトレイ２０側のリブ２６は他方側のスイッチ６２から離れてそのスイッチ６２がオフモードになっている。この状態では、図５に示したターンテーブル３２がディスクを回転させて、光ピックアップ３５をそのディスクの半径方向に走行させることにより、ディスクに対する記録又は再生を行わせることが可能である（図９の時間Ｔ１）。
【００１６】
制御回路（不図示）にディスクトレイ２０のオープン工程を開始するための指令信号が入力されると、図９の時間Ｔ２までの間に、歯車５０が図７Ａにおいて反時計方向に回転してカムスライダ４１が左方への復動を開始する。このようなカムスライダ４１の復動の初期段階では、突起４５が一方側のスイッチ６１のタクトから離れるので、タクトが復帰動作してそのスイッチ６１がオフモードに切り換わり、それに伴ってクランプ解除工程の開始タイミングが検出され、併せて、ローディングモータに対する印加電圧がプラス側（歯車５０を反時計方向に回転させる側）に増大し、その過程を経ることにより、ディスクトレイ２０に対してオープン補助工程が行われ（このオープン補助工程ではディスクトレイ２０はクローズ位置に停止している）、このオープン補助工程の進行中にクランプ機構３０がクランプ解除工程を終了する。また、このオープン補助工程が終了した時点では、カムスライダ４１のラック４３が歯車５０を乗り越えて両者の噛合いが解除されている（図７Ｂ参照）。
【００１７】
図９の時間Ｔ２でクランプ機構３０のクランプ解除工程が終了すると、その後、引き続いてディスクトレイ２０のラック２１が歯車５０に噛み合ってディスクトレイ２０がオープン工程を開始する。ディスクトレイ２０がオープン工程を開始すると、図７Ｂのようにリブ２６が他方側のスイッチ６２のタクトを押し込んでそのスイッチ６２をオンモードに切り換える。これによってディスクトレイ２０のオープン工程の開始タイミングが検出されるので、その検出信号に基づいてローディングモータに対する印加電圧が一定に保たれてディスクトレイ２０のオープン工程が行われる。このオープン工程が行われている時間（図９のＴ２〜Ｔ３）内は、図７Ｃのようにリブ２６が他方側のスイッチ６２のタクトを押し込んだ状態のまま保持するので、他方側のスイッチ６２がオンモードを持続する。
【００１８】
図９の時間Ｔ３でディスクトレイ２０がオープン位置に到達してそのオープン工程が終了すると、図７Ｄから図７Ｅのようにリブ２６が他方側のスイッチ６２から離れてそのスイッチ６２がオフモードに切り換わる。こうしてスイッチ６２がオフモードに切り換わることによってオープン工程の終了タイミングが検出されると、その検出信号に基づいてローディングモータへの印加電圧が零になって歯車５０の回転が停止する。なお、図９の時間Ｔ３でオープン工程が終了しても、ディスクトレイ２０のラック２１は歯車５０に噛み合ったままになっている。
【００１９】
次に、制御回路（不図示）にディスクトレイ２０のクローズ工程を開始するための指令信号が入力されると、時間Ｔ４でディスクトレイ２０のラック２１が噛み合っている歯車５０が、図７Ｅにおいて時計方向に回転を開始し、ディスクトレイ２０がクローズ工程を開始する。カムスライダ４１は復動位置に停止したままである。
【００２０】
図９の時間Ｔ４でディスクトレイ２０がクローズ工程を開始すると、それに伴ってリブ２６が他方側のスイッチ６２をオンモードに切り換えるので、ローディングモータへの印加電圧がマイナス側（歯車５０を時計方向に回転させる側）に増大し、その過程を経ることにより、カムスライダ４１の係合ピン２４がディスクトレイ２０側の傾斜したガイド溝２３に係合してカムスライダ４１が右方へ往動される。この往動によりカムスライダ４１のラック４３が歯車５０に噛み合うので、その後、引き続いてカムスライダ４１が右方への往動を継続して係合ピン２４がカム溝２３を前方へ押す。したがって、図９の時間Ｔ５でディスクトレイ２０がクローズ位置に到達する。
【００２１】
図９の時間Ｔ５でディスクトレイ２０がクローズ位置に到達すると、リブ２６が他方側のスイッチ６２から離れてそのスイッチ６２がオフモードに切り換わる。これによりクローズ工程の終了タイミングとクランプ工程の開始タイミングとが検出され、その検出信号に基づいてローディングモータへの印加電圧が、マイナス側で減少した後に再び増大し、クランプ機構３０によるクランプ工程が開始される。カムスライダ４１が往動限位置に到達して図９の時間Ｔ６でクランプ工程が終了すると、カムスライダ４１の突起４５が一方側のスイッチ６１のタクトを押し込んでそのスイッチ６１をオンモードに切り換える（図７Ａ参照）。ローディングモータへの印加電圧が零になり、ディスクの記録再生モードを開始することができる状態になる。
【００２２】
一方、従来より、ディスク装置において、トレイのオープン・クローズの状態を１つのスイッチで検出するための提案がなされている（たとえば、特許文献１参照）。この特許文献１に記載されているものでは、スイッチにそのオンオフを切り換えるためのレバーが付設されていて、カムスライダの左右移動とディスクトレイの前後移動とを通じてレバーを操作させるように構成されている。また、レバーは、その長手方向中間部に揺動軸を有している。
【００２３】
また、ディスクトレイの前後２箇所にスイッチ操作部を具備させ、それらのスイッチ操作部により、１箇所に設置されているスイッチのオンオフを切り換えるようにしてディスクトレイのオープン位置やクローズ位置を検出ように構成したものも知られている（たとえば、特許文献２、特許文献３参照）。
【特許文献１】特開２００６−１８９５９号公報
【特許文献２】特開２００３−７７２６０号公報
【特許文献３】特開２００３−２１７２１２公報
【発明の開示】
【発明が解決しようとする課題】
【００２４】
図５〜図９を参照して説明した従来例としてのディスク装置では、ディスクトレイ２０のオープン工程及びクローズ工程のそれぞれの開始タイミング及び終了タイミングを他方側のスイッチ６２によって検出し、クランプ機構３０のクランプ工程の終了タイミング及びクランプ解除工程の開始タイミングを一方側のスイッチ６１によって検出している。このため、２つのスイッチ６１，６２をカムスライダ４１やディスクトレイ２０に対応して設置する必要がある。しかし、上記した各タイミングを検出するのに２つのスイッチ６１，６２を設置すると、それだけ部品点数が増えて部品コストや組立コストが高くつくという問題がある。
【００２５】
一方、特許文献１〜３によって提案されているものは、いずれもディスクトレイのオープン位置及びクローズ位置の２つの位置を１つのスイッチによって検出させるものであるに過ぎない。したがって、これらの特許文献１〜３による提案を採用したとしても、ディスクトレイのオープン工程及びクローズ工程のそれぞれの開始タイミング及び終了タイミング、クランプ機構のクランプ工程の終了タイミング及びクランプ解除工程の開始タイミングを、１つのスイッチによって検出させることはできない。
【００２６】
そこで、本発明は、図９のタイムチャートに示されている一方側のスイッチがオフモードを持続している時間帯と他方側のスイッチのオンオフモードが切り換えられる時間帯とが重畳している点に着目し、１つのスイッチによって上記したディスクトレイのオープン工程及びクローズ工程のそれぞれの開始タイミング及び終了タイミング、クランプ機構のクランプ工程の終了タイミング及びクランプ解除工程の開始タイミングを検出することのできるディスク装置を提供することを目的としている。
【課題を解決するための手段】
【００２７】
本発明に係るディスク装置は、機体から後退してディスクを搬出するオープン工程と機体に進入してディスクを機体に搬入するクローズ工程とを行うディスクトレイと、このディスクトレイのクローズ工程を通じて上記機体に搬入されたディスクをディスクトレイから持ち上げて回転可能に保持するクランプ工程とディスクの保持状態を解除してディスクを上記ディスクトレイに受け渡すクランプ解除工程とを行うクランプ機構と、このクランプ機構によるクランプ工程とクランプ解除工程とを切換え制御するカム機構と、上記ディスクトレイのオープン工程及びクローズ工程のそれぞれの開始タイミング及び終了タイミング、並びに、上記クランプ機構のクランプ工程の終了タイミング及びクランプ解除工程の開始タイミングを検出するスイッチと、を有している。また、上記カム機構が、ディスクトレイの出退方向に対して直交する方向に往復移動されるカムスライダと、このカムスライダのカム溝に案内されて上記ディスクトレイの出退方向及び当該カムスライダの往復移動方向に対して直交する往復方向に案内される可動体とを備えて、この可動体が上記クランプ機構に設けられてこの可動体の往動を通じてクランプ機構が上記クランプ工程を行い、かつ、この可動体の復動を通じてクランプ機構が上記クランプ解除工程を行うように構成されていると共に、上記スイッチが、単一のタクトの押込み復帰動作によりオンオフ状態が切り換わるタクトスイッチでなる。
【００２８】
そして、  上記カムスライダに、上記可動体を復動させて上記クランプ機構にクランプ解除工程を開始させたときに上記タクトから離れて上記スイッチをオフさせ、上記可動体が往動して上記クランプ機構のクランプ工程を終了させたときに上記タクトを押し込んで上記スイッチをオンさせる第１スイッチ操作部が設けられ、上記ディスクトレイに、当該ディスクトレイがオープン工程及びクローズ工程を進行させている時間に限って上記スイッチのオン状態を持続させ、当該ディスクトレイがオープン工程及びクローズ工程を保持している時間は上記スイッチのオフ状態を持続させる第２スイッチ操作部が設けられている。
【００２９】
この構成であると、タクトスイッチでなる１つのスイッチに対してカムスライダの第１スイッチ操作部とディスクトレイの第２スイッチ操作部とが作用するので、そのスイッチによって、ディスクトレイのオープン工程及びクローズ工程のそれぞれの開始タイミング及び終了タイミング、並びに、クランプ機構のクランプ工程の終了タイミング及びクランプ解除工程の開始タイミングが検出される。このため、スイッチの必要数が１つになり、部品点数が削減されて部品コストや組立コストが安く抑えられるようになる。
【００３０】
本発明では、上記第１スイッチ操作部が、上記カムスライダに設けられて上記スイッチのタクトに対向している突当り部でなり、上記第２スイッチ操作部が、上記ディスクトレイに設けられてそのディスクトレイの出退方向に延びるリブでなり、そのリブの側面が上記スイッチのタクトを押し込んだまま摺動する押圧面として形成されている、という構成を採用することが可能である。
【００３１】
また、上記第１スイッチ操作部と上記第２スイッチ操作部とが、上記カムスライダの往復移動方向において上記スイッチの片側に配備されていることが望ましい。
【００３２】
本発明では、上記第１スイッチ操作部と上記第２スイッチ操作部とが、上記可動体の往復方向で間隔を隔てて配備され、かつ、上記機体に、ばね圧により常時中立位置に向けて付勢されたレバーの一端部が揺動自在に取り付けられ、そのレバーの自由端部に、上記中立位置で上記スイッチのタクトから離れている２つの突出部が設けられていると共に、上記第１スイッチ操作部が一方側の上記突出部に当接して上記レバーの揺動動作を伴いながら上記スイッチのタクトに対する押込み離間動作を行い、上記第２スイッチ操作部が他方側の上記突出部に当接して上記レバーの揺動動作を伴いながら上記スイッチのタクトに対する押込み離間動作を行うように構成されているものであってもよい。
【発明の効果】
【００３３】
本発明によれば、タクトスイッチでなる１つのスイッチを用いるだけで、ディスクトレイのオープン工程及びクローズ工程のそれぞれの開始タイミング及び終了タイミング、並びに、クランプ機構のクランプ工程の終了タイミング及びクランプ解除工程の開始タイミングを検出させることが可能になる。そのため、ディスクトレイやクランプ機構を動作させるためのシーケンスに必要な検出信号を１つのスイッチによって得ることができるようになって、従来例と同等の動作信頼性を発揮するディスク装置を安価に提供することができるようになる。
【発明を実施するための最良の形態】
【００３４】
図１Ａ〜図１Ｅは本発明の実施形態におけるカムスライダ４１やディスクトレイ２０の動作を介してオンオフ制御される単一のスイッチ６０のモードを示した説明図、図２は本発明の実施形態におけるディスクトレイ２０を裏面側から見て示した平面図である。また、図９（Ｅ）にスイッチ６０のモードの切換わりをタイムチャートで示してある。
【００３５】
図１Ａ〜図１Ｅに示したように、単一のスイッチ６０には安価で入手が容易なタクトスイッチが採用されていて、そのスイッチ６０では、単一のタクト６０ａの押込み復帰動作によりそのオンオフ状態が切り換わる。そして、カムスライダ４１に設けられている第１スイッチ操作部７０と、ディスクトレイ２０に設けられている第２スイッチ操作部８０とが、カムスライダ４１の往復移動方向においてスイッチ６０の片側に配備されている。この実施形態において、第１スイッチ操作部７０は、カムスライダ４１に設けられてスイッチ６０のタクト６０ａに対向している突当り部でなる。第２スイッチ操作部８０は、図２に示したように、ディスクトレイ２０に設けられてそのディスクトレイ２０の出退方向に延びるリブでなり、そのリブの側面がスイッチ６０のタクト６０ａを押し込んだまま摺動する押圧面８０ａとして形成されている。
【００３６】
以上の構成で、図９の時間Ｔ１のように、ディスクトレイ２０がクローズ位置に位置し、クランプ機構３０がディスクをクランプしている動作状態では、図１Ａのように往動しているカムスライダ４１の第１スイッチ操作部７０がスイッチ６０のタクト６０ａを押し込んでそのスイッチ６０をオンモードに切り換えているのに対し、ディスクトレイ２０側の第２スイッチ操作部８０はスイッチ６０から離れている。この状態では、図５に示したターンテーブル３２がディスクを回転させて、光ピックアップ３５をそのディスクの半径方向に走行させることにより、ディスクに対する記録又は再生を行わせることが可能である（図９の時間Ｔ１）。
【００３７】
制御回路（不図示）にディスクトレイ２０のオープン工程を開始するための指令信号が入力されると、図９の時間Ｔ２までの間に、歯車５０が図１Ａにおいて反時計方向に回転してカムスライダ４１が左方への復動を開始する。このようなカムスライダ４１の復動の初期段階では、第１スイッチ操作部７０がスイッチ６０のタクト６０ａから離れるので、タクト６０ａが復帰動作してスイッチ６０がオフモードに切り換わり、それに伴ってクランプ解除工程の開始タイミングが検出され、併せて、ローディングモータに対する印加電圧がプラス側（歯車５０を反時計方向に回転させる側）に増大し、その過程を経ることにより、ディスクトレイ２０に対してオープン補助工程が行われ（このオープン補助工程ではディスクトレイ２０はクローズ位置に停止している）、このオープン補助工程の進行中にクランプ機構３０がクランプ解除工程を終了する。また、このオープン補助工程が終了した時点では、カムスライダ４１のラック４３が歯車５０を乗り越えて両者の噛合いが解除されている（図１Ｂ参照）。
【００３８】
図９の時間Ｔ２でクランプ機構３０のクランプ解除工程が終了すると、その後、引き続いてディスクトレイ２０のラック２１が歯車５０に噛み合ってディスクトレイ２０がオープン工程を開始する。ディスクトレイ２０がオープン工程を開始すると、図１Ｂのように第２スイッチ操作部８０がスイッチ６０のタクト６０ａを押し込んでスイッチ６０をオンモードに切り換える。これによってディスクトレイ２０のオープン工程の開始タイミングが検出されるので、その検出信号に基づいてローディングモータに対する印加電圧が一定に保たれてディスクトレイ２０のオープン工程が行われる。このオープン工程が行われている時間（図９のＴ２〜Ｔ３）内は、図１Ｃのように第２スイッチ操作部８０がスイッチ６０のタクト６０ａを押し込んだ状態のまま保持するので、スイッチ６０がオンモードを持続する。
【００３９】
図９の時間Ｔ３でディスクトレイ２０がオープン位置に到達してそのオープン工程が終了すると、図１Ｄから図１Ｅのように第２スイッチ操作部８０がスイッチ６０のタクト６０ａから離れてスイッチ６０がオフモードに切り換わる。こうしてスイッチ６０がオフモードに切り換わることによってオープン工程の終了タイミングが検出されると、その検出信号に基づいてローディングモータへの印加電圧が零になって歯車５０の回転が停止する。なお、図９の時間Ｔ３でオープン工程が終了しても、ディスクトレイ２０のラック２１は歯車５０に噛み合ったままになっている。
【００４０】
次に、制御回路（不図示）にディスクトレイ２０のクローズ工程を開始するための指令信号が入力されると、時間Ｔ４でディスクトレイ２０のラック２１が噛み合っている歯車５０が、図１Ｅにおいて時計方向に回転を開始し、ディスクトレイ２０がクローズ工程を開始する。カムスライダ４１は復動位置に停止したままである。
【００４１】
図９の時間Ｔ４でディスクトレイ２０がクローズ工程を開始すると、それに伴って第２スイッチ操作部８０がスイッチ６０をオンモードに切り換えるので、ローディングモータへの印加電圧がマイナス側（歯車５０を時計方向に回転させる側）に増大し、その過程を経ることにより、カムスライダ４１の係合ピン２４がディスクトレイ２０側の傾斜したガイド溝２３に係合してカムスライダ４１が右方へ往動される。この往動によりカムスライダ４１のラック４３が歯車５０に噛み合うので、その後、引き続いてカムスライダ４１が右方への往動を継続して係合ピン２４がカム溝２３を前方へ押す。したがって、図９の時間Ｔ５でディスクトレイ２０がクローズ位置に到達する。
【００４２】
図９の時間Ｔ５でディスクトレイ２０がクローズ位置に到達すると、第２スイッチ操作部８０がスイッチ６０のタクト６０ａから離れてスイッチ６０がオフモードに切り換わる。これによりクローズ工程の終了タイミングとクランプ工程の開始タイミングとが検出され、その検出信号に基づいてローディングモータへの印加電圧が、マイナス側で減少した後に再び増大し、クランプ機構３０によるクランプ工程が開始される。カムスライダ４１が往動限位置に到達して図９の時間Ｔ６でクランプ工程が終了すると、カムスライダ４１の第１スイッチ操作部７０がスイッチ６０のタクト６０ａを押し込んでスイッチ６０をオンモードに切り換える（図１Ａ参照）。ローディングモータへの印加電圧が零になり、ディスクの記録再生モードを開始することができる状態になる。
【００４３】
以上説明したように、この実施形態では、１つのスイッチ６０に、カムスライダ４１の第１スイッチ操作部７０とディスクトレイ２０の第２スイッチ操作部８０とを選択的に作用させることによって、ディスクトレイ２０のオープン工程の開始タイミング（図９の時間Ｔ１）、オープン工程の終了タイミング（図９の時間Ｔ３）、クローズ工程の開始タイミング（図９の時間Ｔ４）、クローズ工程の終了タイミング（図９の時間Ｔ５）を検出させていることに加えて、クランプ機構３０のクランプ工程の終了タイミング（図９の時間Ｔ６）及びクランプ解除工程の開始タイミング（図９の時間Ｔ１）を検出させている。そのため、ディスクトレイ２０やクランプ機構３０を動作させるためのシーケンスに必要な検出信号を１つのスイッチ６０によって得ることができるようになる。また、動作信頼性は従来例と同等になる。
【００４４】
図３は他の実施形態に係るディスク装置の要部の概略平面図、図４は図３の一部分を取り出して説明的に示した概略部分斜視図である。
【００４５】
この実施形態は、単一のスイッチ６０のタクト６０ａに、上記した第１スイッチ操作部７０や第２スイッチ操作部８０をレバー９０を介して作用させるように構成した事例である。
【００４６】
すなわち、第１スイッチ操作部７０と第２スイッチ操作部８０とを、図５又は図６に示した可動体４２の往復方向（上下方向）で間隔を隔てて配備せざるを得ないようなディスク装置では、単一のスイッチ６０のタクト６０ａに第１スイッチ操作部７０とディスクトレイ２０の第２スイッチ操作部８０とを選択的に作用させることが困難な場合もあり得る。そこで、この場合には、この実施形態のように、機体１０（図５又は図６参照）に、ばね圧により常時中立位置に向けて付勢されたレバー９０の一端部を支軸９１を介して揺動自在に取り付け、そのレバー９０の自由端部に、下側と上側に延びる２つの突出部９２，９３を設けておき、下側の突出部９２を第１スイッチ操作部７０に対応させ、上側の突出部９３を第２スイッチ操作部８０に対応させておくとよい。なお、レバー９０を中立位置に向けて常時付勢する手段として、この事例では、レバー９０に一体に樹脂成形した樹脂ばね９４にばね圧を発生させ、そのばね圧を受け止めるストッパ９５を機体１０に設けてある。
【００４７】
この構成であると、第１スイッチ操作部７０が、レバー９０の下側の突出部９２を介してスイッチ６０のタクト６０ａに対する押込み離間動作を行い、第２スイッチ操作部８０が、レバー９０の上側の突出部９３を介してスイッチ６０のタクト６０ａに対する押込み離間動作を行うようになる。
【図面の簡単な説明】
【００４８】
【図１Ａ】本発明の実施形態におけるスイッチのモードを示した説明図である。
【図１Ｂ】同スイッチのモードを示した説明図である。
【図１Ｃ】同スイッチのモードを示した説明図である。
【図１Ｄ】同スイッチのモードを示した説明図である。
【図１Ｅ】同スイッチのモードを示した説明図である。
【図２】本発明の実施形態におけるディスクトレイを裏面側から見て示した平面図である。
【図３】他の実施形態に係るディスク装置の要部の概略平面図である。
【図４】図３の一部分を取り出して説明的に示した概略部分斜視図である。
【図５】ディスク装置の概略平面図である。
【図６】ディスク装置の他の状態での概略平面図である。
【図７Ａ】従来例におけるスイッチのモードを示した説明図である。
【図７Ｂ】同スイッチのモードを示した説明図である。
【図７Ｃ】同スイッチのモードを示した説明図である。
【図７Ｄ】同スイッチのモードを示した説明図である。
【図７Ｅ】同スイッチのモードを示した説明図である。
【図８】従来例のディスクトレイを裏面側から見て示した平面図である。
【図９】図面代用のタイムチャートである。
【符号の説明】
【００４９】
１０  機体
２０  ディスクトレイ
３０  クランプ機構
４０  カム機構
４１  カムスライダ
４２  可動体
６０  スイッチ
６０ａ  タクト
７０  第１スイッチ操作部
８０  第２スイッチ操作部
８０ａ  押圧面
９０  レバー
９２，９３  突出部
【図１Ａ】
2009146554.tif 000003
【図１Ｂ】
2009146554.tif 000004
【図１Ｃ】
2009146554.tif 000005
【図１Ｄ】
2009146554.tif 000006
【図１Ｅ】
2009146554.tif 000007
【図２】
2009146554.tif 000008
【図３】
2009146554.tif 000009
【図４】
2009146554.tif 000010
【図５】
2009146554.tif 000011
【図６】
2009146554.tif 000012
【図７Ａ】
2009146554.tif 000013
【図７Ｂ】
2009146554.tif 000014
【図７Ｃ】
2009146554.tif 000015
【図７Ｄ】
2009146554.tif 000016
【図７Ｅ】
2009146554.tif 000017
【図８】
2009146554.tif 000018
【図９】
2009146554.tif 000019